(57)【要約】【課題】  耐衝撃性の高い携帯機器を提供する。【解決手段】  機器ケース１内に配置されるインナーケース８が、機器ケース１内に配置される第１フレーム１０と、機器ケース１内に第１フレーム１０と並列に配置される第２フレーム１１と、第１フレーム１０と第２フレーム１１とを連結する連結部１２と、この連結部１２に設けられた第１緩衝部材１３と、を備えている。従って、機器ケース１が外部から衝撃を受け、その衝撃がインナーケース８に伝わっても、その衝撃を第１緩衝部材１３によって緩衝することができ、これにより耐衝撃性の高いものを提供することができる。【選択図】        図５
2018046329.tif 000002
【特許請求の範囲】
【請求項１】
機器ケースと、前記機器ケース内に配置されるインナーケースと、を備え、
前記インナーケースは、
前記機器ケース内に配置される第１フレームと、
前記機器ケース内に前記第１フレームと並列に配置される第２フレームと、
前記第１フレームと前記第２フレームとを連結する連結部と、
前記連結部に設けられ、前記第１フレームと前記第２フレームとが受けた衝撃を緩衝する緩衝部材と、
を備えていることを特徴とする携帯機器。
【請求項２】
請求項１に記載の携帯機器において、前記第１フレームと前記第２フレームとは、それぞれ矩形状をなし、前記連結部と共に合成樹脂によって一体に形成され、前記連結部に前記緩衝部材が埋め込まれていることを特徴とする携帯機器。
【請求項３】
請求項１または請求項２に記載の携帯機器において、前記第２フレームは、前記第１フレームが連結される連結方向に対して直交する方向の長さが、前記第１フレームにおける前記連結方向と直交する方向の長さよりも短く形成されていることを特徴とする携帯機器。
【請求項４】
請求項３に記載の携帯機器において、前記連結部は、前記第１フレームと前記第２フレームとの前記連結方向に対して直交する方向の長さが、前記第２フレームにおける前記連結方向と直交する方向の長さとほぼ同じ長さに形成されていることを特徴とする携帯機器。
【請求項５】
請求項３に記載の携帯機器において、前記連結部は、前記第１フレームと前記第２フレームとの前記連結方向に対して直交する方向の長さが、前記第１フレームにおける前記連結方向と直交する方向の両側の端部側から、これに対応する前記第２フレームにおける前記連結方向と直交する方向の両側の端部に向けて、次第に短くなるように形成されていることを特徴とする携帯機器。
【請求項６】
請求項４または請求項５に記載の携帯機器において、前記緩衝部材は、前記連結部における前記連結方向と直交する方向の長さよりも少し短い長さで、前記連結部に埋め込まれていることを特徴とする携帯機器。
【請求項７】
請求項１〜請求項６のいずれかに記載の携帯機器において、前記第２フレームは、前記第１フレームに搭載される部品の重量よりも重い重量の部品が搭載されていることを特徴とする携帯機器。
【請求項８】
請求項１〜請求項７のいずれかに記載の携帯機器において、前記第２フレームはバッテリが搭載され、前記第１フレームは表示モジュールが搭載されていることを特徴とする携帯機器。
【発明の詳細な説明】
【技術分野】
【０００１】
この発明は、携帯端末機、携帯電話機などの携帯機器に関する。
【背景技術】
【０００２】
例えば、携帯端末機においては、特許文献１に記載されているように、機器ケース内にインナーケースを設け、このインナーケースに各種の部品を搭載することにより、各種の部品を機器ケース内に組み込むように構成されたものが知られている。
【先行技術文献】
【特許文献】
【０００３】
【特許文献１】特開２０１２−１３４７８５号公報
【発明の概要】
【発明が解決しようとする課題】
【０００４】
このような携帯端末機は、機器ケースを持ち易くするため、機器ケースが細長い長方形状に形成され、これに伴ってインナーケースも細長い長方形状に形成されている。このため、この携帯端末機では、機器ケースが外部から衝撃を受け、その衝撃がインナーケースに伝わると、その衝撃がインナーケースの長手方向における中間部に集中し易く、インナーケースの中間部が劣化し、破損し易い。
【０００５】
この発明が解決しようとする課題は、耐衝撃性の高い携帯機器を提供することである。
【課題を解決するための手段】
【０００６】
この発明は、機器ケースと、前記機器ケース内に配置されるインナーケースと、を備え、前記インナーケースは、前記機器ケース内に配置される第１フレームと、前記機器ケース内に前記第１フレームと並列に配置される第２フレームと、前記第１フレームと前記第２フレームとを連結する連結部と、前記連結部に設けられ、前記第１フレームと前記第２フレームとが受けた衝撃を緩衝する緩衝部材と、を備えていることを特徴とする携帯機器である。
【発明の効果】
【０００７】
この発明によれば、機器ケースが外部から衝撃を受け、その衝撃がインナーケースに伝わっても、その衝撃を緩衝部材によって緩衝することができるので、耐衝撃性の高いものを提供することができる。
【図面の簡単な説明】
【０００８】
【図１】この発明を携帯端末機に適用した一実施形態を示した正面図である。
【図２】図１に示された携帯端末機の側面図である。
【図３】図１に示された携帯端末機を裏面側から見た斜視図である。
【図４】図１に示された携帯端末機のＡ−Ａ矢視における拡大断面図である。
【図５】図３に示された携帯端末機において、下部ケースを取り外した状態を示した拡大裏面図である。
【図６】図５に示されたインナーケースを示し、（ａ）はその拡大正面図、（ｂ）はそのＢ−Ｂ矢視における拡大断面図である。
【図７】図６に示されたインナーケースの要部を示し、（ａ）は図６（ａ）における要部を示した拡大正面図、（ｂ）は図６（ｂ）における要部を示した拡大断面図である。
【図８】図３に示された携帯端末機のＣ−Ｃ矢視における要部を示した拡大断面図である。
【図９】図５に示されたインナーケースの変形例を示し、（ａ）はその拡大正面図、（ｂ）はそのＤ−Ｄ矢視における拡大断面図である。
【図１０】図９に示されたインナーケースの要部を示し、（ａ）は図９（ａ）における要部を示した拡大正面図、（ｂ）は図９（ｂ）における要部を示した拡大断面図である。
【発明を実施するための形態】
【０００９】
以下、図１〜図８を参照して、この発明を携帯端末機に適用した一実施形態について説明する。
この携帯端末機は、図１〜図３に示すように、機器ケース１を備えている。この機器ケース１は、上部ケース２と下部ケース３とで構成されている。上部ケース２内には、表示部４と入力部５とが配置されている。下部ケース３の裏面（図３では表面）には、読取装置６と電池蓋７とが設けられている。
【００１０】
この場合、機器ケース１は、図１〜図３に示すように、上部ケース２の表示部４側およびこれに対応する下部ケース３の読取装置６側に位置する先端部側（図１では上辺部側）が、前後方向（図１では上下方向）に長い長方形状の本体部１ａに形成され、上部ケース２の入力部５側およびこれに対応する下部ケース３の電池蓋７側に位置する手前部側（図１では下辺部側）が、前後方向に長い長方形状の握り部１ｂに形成されている。
【００１１】
すなわち、この機器ケース１は、図１〜図３に示すように、握り部１ｂにおける機器ケース１の長手方向と直交する方向の長さ（幅）が、本体部１ａにおける機器ケース１の長手方向と直交する方向の長さ（幅）よりも短く形成されている。これにより、機器ケース１は、全体がほぼ羽子板形状に形成されている。つまり、この機器ケース１は、本体部１ａにおける表面の面積が握り部１ｂにおける表面の面積よりも広く形成され、かつ握り部１ｂが握り易い形状に形成されている。
【００１２】
ところで、この機器ケース１は、図４〜図６示すように、その内部にインナーケース８が設けられている。このインナーケース８は、機器ケース１の本体部１ａ内に配置される第１フレーム１０と、機器ケース１の握り部１ｂ内に第１フレーム１０と並列に配置される第２フレーム１１と、この第１フレーム１０と第２フレーム１１とを連結する連結部１２と、この連結部１２に設けられた第１緩衝部材１３と、を備えている。
【００１３】
この場合、第１フレーム１０と第２フレーム１１とは、図５および図６に示すように、それぞれ矩形状をなし、連結部１２と共にＡＢＳ樹脂、またはＰＣ樹脂とＡＢＳ樹脂との複合材などの合成樹脂によって一体に形成されている。第１フレーム１０は、機器ケース１の本体部１ａと同じ長方形状で、本体部１ａよりも少し小さい大きさの枠状に形成されている。
【００１４】
第２フレーム１１は、図５および図６に示すように、機器ケース１の握り部１ｂと同じ長方形状で、握り部１ｂよりも少し小さい大きさの樋状、つまり断面半円形状または断面台形状に形成されている。この第２フレーム１１は、第１フレーム１０と第２フレーム１１とが連結される連結方向であるインナーケース８の長手方向に対して直交する方向の長さが、第１フレーム１０における連結方向である長手方向と直交する方向の長さよりも短く形成されている。
【００１５】
連結部１２は、図５〜図７に示すように、第１フレーム１０と第２フレーム１１とが連結される連結方向であるインナーケース８の長手方向に対して直交する方向の長さが、第２フレーム１１の連結方向である長手方向に対して直交する方向の長さとほぼ同じ長さで形成されている。この連結部１２には、第１緩衝部材１３が嵌着するスリット状の嵌合部１２ａが第２フレーム１１の長手方向に対して直交する方向の長さよりも少し短い長さで形成されている。
【００１６】
この場合、スリット状の嵌合部１２ａは、図６および図７に示すように、インナーケース８の長手方向の長さが、連結部１２におけるインナーケース８の長手方向の長さよりも少し短く形成され、かつインナーケース８の長手方向と直交する方向の長さが、連結部１２におけるインナーケース８の長手方向と直交する方向の長さよりも少し短く形成されている。
【００１７】
すなわち、この嵌合部１２ａは、図６および図７に示すように、連結部１２の外周縁部を除いて、連結部１２の外形よりも少し小さい大きさで形成されている。また、この嵌合部１２ａは、連結部１２の表裏面方向である厚み方向に貫通しない凹部状に形成されているが、これに限らず、連結部１２の表裏面方向である厚み方向に貫通した状態で形成されていても良い。
【００１８】
第１緩衝部材１３は、図６および図７に示すように、シリコーン樹脂、エラストマーなどの弾力性が高く、かつ硬度が８０〜９０程度の合成樹脂で形成されている。この第１緩衝部材１３は、第２フレーム１１における長手方向と直交する方向の長さよりも少し短い長さで形成され、連結部１２に設けられたスリット状の嵌合部１２ａ内に嵌め込まれるように構成されている。
【００１９】
すなわち、この第１緩衝部材１３は、図６および図７に示すように、連結部１２のスリット状の嵌合部１２ａ内に嵌め込まれた状態で、嵌合部１２ａを弾力的に押し広げるように嵌め込まれている。これにより、第１緩衝部材１３は、機器ケース１が外部から衝撃を受け、その衝撃がインナーケース８に伝わった際に、連結部１２に集中する衝撃を緩衝して連結部１２を保護するように構成されている。
【００２０】
一方、第１フレーム１０は、図４に示すように、その表面（図４では左側面）に表示部４が設けられ、裏面（図４では右側面）に回路基板１４が設けられるように構成されている。また、第２フレーム１１は、その表面（図４では左側面）に入力部５が設けられ、下部（図４では右側面）に電池収納部１５が設けられるように構成されている。
【００２１】
表示部４は、図１および図４に示すように、液晶表示パネル、ＥＬ（エレクトロ・ルミネッセンス）表示パネルなどの平面型の表示パネルを備え、この表示パネルで情報を電気光学的に表示するように構成されている。この表示部４は、図４に示すように、機器ケース１の本体部１ａに対応する上部ケース２の箇所に設けられた表示開口部２ａに対応した状態で、上部ケース２の内部に配置されている。
【００２２】
これにより、表示部４は、図１および図４に示すように、表示した情報が表示開口部２ａを通して上部ケース２の外部から見えるように構成されている。この場合、表示部４の上辺側に位置する上部ケース２の箇所には、図１に示すように、スピーカ１６ａとインジケータ用の発光素子（ＬＥＤ）１６ｂとが設けられている。
【００２３】
回路基板１４は、図４および図５に示すように、携帯端末機全体を制御する回路部が搭載され、第１フレーム１０の裏面（図５では表面）に複数のビス１４ａによって取り付けられ、この状態で上部ケース２の内部に配置されるように構成されている。この回路基板１４は、表示部４が電気的に接続されると共に、入力部５、読取装置６、スピーカ１６ａ、発光素子１６ｂ、および後述する電池２２がそれぞれ電気的に接続されるように構成されている。
【００２４】
入力部５は、図１、図２および図４に示すように、テンキー、演算キー、カーソルキー、決定キー、バッテリキーなどの各種のキー５ａを備えている。この入力部５は、各種のキー５ａが上部ケース２の表面に設けられた複数のキー挿入孔２ｂから外部に露出した状態で、上部ケース２に配列されている。これにより、入力部５は、各種のキー５ａを操作することにより、情報を入力するように構成されている。
【００２５】
この場合、入力部５の上辺部には、図１および図２に示すように、センタートリガーキー１７ａが設けられている。このセンタートリガーキー１７ａは、上部ケース２のほぼ中央部に設けられたキー挿入孔２ｂに挿入されて表面側に露出するように構成されている。また、機器ケース１の両側面には、図２および図３に示すように、サイドトリガーキー１７ｂがそれぞれ設けられている。このサイドトリガーキー１７ｂは、機器ケース１の両側部に設けられたキー挿入孔２ｃに挿入されて外部に露出するように構成されている。
【００２６】
読取装置６は、図２〜図４に示すように、ユニットケース１８を備え、このユニットケース１８の内部に読取部２０と撮影部２１とが設けられた構成になっている。この場合、ユニットケース１８は、下部ケース３の裏面（図３では表面）に複数のビス１８ａによって着脱可能に取り付けられるように構成されている。
【００２７】
読取部２０は、図４に示すように、スキャナであり、レーザ光線などの光線を被読取物（図示せず）に照射し、その反射光を受光することにより、被読取物のコード情報を読み取るように構成されている。撮影部２１は、撮像素子を備えたカメラであり、読取部２０で読み取る被読取物を画像として撮影するように構成されている。
【００２８】
この読取装置６は、図４に示すように、読取部２０で読み取った被読取物のコード情報が表示部４に表示されると共に、撮影部２１で撮影した被読取物の画像が表示部４に表示されることにより、表示部４に表示された被読取物のコード情報および被読取物の画像を見ながら、読取部２０による読取操作と撮影部２１による撮影操作とが同時に行われるように構成されている。
【００２９】
ユニットケース１８は、図３および図４に示すように、四角形状の平板を機器ケース１の長手方向に沿って緩やかに傾斜する山形状に突出させて形成されている。このユニットケース１８には、読取部２０に対応する読取窓部１９ａと、撮影部２１に対応する撮影窓部１９ｂと、が設けられている。これら読取部２０と撮影部２１とは、読取部２０による光線の照射方向Ｓ１と撮影部２１による撮影方向Ｓ２とが同一方向に設定されている。
【００３０】
この場合、読取部２０と撮影部２１とは、図２および図４に示すように、読取部２０による光線の照射方向Ｓ１と撮影部２１による撮影方向Ｓ２とが、機器ケース１の裏面に対して所定角度θで傾いた状態で、ユニットケース１８内に配置されている。すなわち、読取部２０による光線の照射方向Ｓ１と撮影部２１による撮影方向Ｓ２とは、下部ケース３の裏面に対して握り部１ｂと反対側に位置する下部ケース３の先端側に向けて、４０°〜８０°の角度範囲で、好ましくは６０°の角度で傾いていることが望ましい。
【００３１】
電池収納部１５は、図４および図５に示すように、第２フレーム１１にその表面側（図４では左側面）に向けて凸となる断面半円形状または断面台形状に形成され、その裏面側（図４では右側面）が開放され、この開放された箇所を通して電池２２が収納されるように構成されている。この電池収納部１５は、第２フレーム１１と共に下部ケース３内に配置され、この状態で電池蓋７によって塞がれるように構成されている。
【００３２】
電池蓋７は、図３および図４に示すように、入力部５の裏面側に対応する下部ケース３の裏面側（図３では表面側）にビス７ａによって着脱可能に取り付けられるように構成されている。すなわち、この電池蓋７は、断面半円形の逆樋状に形成され、裏面側が凸になる状態で、下部ケース３内の電池収納部１５を覆って塞ぐことにより、握り部１ｂが握り易い形状になるように構成されている。
【００３３】
ところで、機器ケース１は、図８に示すように、上部ケース２と下部ケース３とを重ね合わせた際に、上部ケース２の下部周縁部（図８では右側周縁部）に設けられた係止溝２３に、下部ケース３の上部周縁部（図８では左側周縁部）に設けられた係合突起２４が係合することにより、上部ケース２と下部ケース３とが結合されるように構成されている。
【００３４】
すなわち、上部ケース２の係止溝２３は、図５および図８に示すように、上部ケース２の内側下部（図５では表面部）にその外周に沿って形成されている。下部ケース３の係合突起２４は、図８に示すように、下部ケース３の内側上部にその外周に沿って形成されている。これにより、機器ケース１は、上部ケース２と下部ケース３とを重ね合わせた際に、上部ケース２の係止溝２３に下部ケース３の係合突起２４が嵌合して、上部ケース２と下部ケース３とが結合されるように構成されている。
【００３５】
また、この機器ケース１は、図５および図８に示すように、上部ケース２と下部ケース３とのうちの一方である上部ケース２に設けられて、上部ケース２と下部ケース３とを連結するための複数の連結ボス部２５と、これら複数の連結ボス部２５の周囲にそれぞれ設けられて、上部ケース２と下部ケース３とに弾接する複数の第２緩衝部材２６と、を備えている。
【００３６】
この場合、複数の連結ボス部２５それぞれは、図５および図８に示すように、内部にねじ部が設けられた円筒状に形成され、上部ケース２内に起立して設けられている。すなわち、これら複数の連結ボス部２５それぞれは、図８に示すように、上部ケース２の表面側に位置する基端部の外径が下部ケース３側に位置する先端部の外形よりも大きく形成されている。
【００３７】
これにより、複数の連結ボス部２５それぞれは、図８に示すように、外周面に受け部２５ａが段差状に形成された円筒形状に形成されている。また、これらの複数の連結ボス部２５それぞれは、下部ケース３に設けられた複数のビス挿入部２７を通して複数のビス２８がそれぞれ螺合するように構成されている。
【００３８】
この場合、複数のビス挿入部２７それぞれは、図８に示すように、下部ケース３の裏面側内面（図８では右側内面）から上部ケース２の裏面側（図８では右側）に向けて垂下されている。これら複数のビス挿入部２７それぞれは、ビス２８がその頭部２８ａと共に挿入する筒部２７ａと、この筒部２７ａの上端部（図８では左端部）に設けられてビス２８のねじ部２８ｂが挿入する挿入孔を有する当接部２７ｂと、で構成されている。
【００３９】
これにより、複数の連結ボス部２５は、図８に示すように、下部ケース３の複数のビス挿入部２７を通して複数のビス２８の各ねじ部２８ｂがそれぞれ螺合した際に、上部ケース２と下部ケース３とが複数の第２緩衝部材２６を弾力的に挟み付けた状態で、上部ケース２と下部ケース３とを相互に固定するように構成されている。
【００４０】
すなわち、上部ケース２と下部ケース３とは、図８に示すように、複数のビス２８の各ねじ部２８ｂが複数の連結ボス部２５にそれぞれ螺合した際に、複数のビス２８の各頭部２８ａが複数のビス挿入部２７の各当接部２７ｂを複数の第２緩衝部材２６に押し付け、これら複数の第２緩衝部材２６が複数の連結ボス部２５の段差状の各受け部２５ａに押し付けられることにより、複数の第２緩衝部材２６を弾力的に挟み付けるように構成されている。
【００４１】
この場合、複数の連結ボス部２５は、図５に示すように、上部ケース２内における四隅に設けられているほか、上部ケース２の長手方向における中間部に位置する両側部にも設けられている。これに伴って、複数のビス挿入部２７は、図８に示すように、下部ケース３の四隅と下部ケース３の長手方向における中間部に位置する両側部とに、複数の連結ボス部２５それぞれと対応するように設けられている。
【００４２】
複数の第２緩衝部材２６は、図５および図８に示すように、複数の連結ボス部２５における小径の先端部の各外周に配置されて、上部ケース２の内周面に弾接するほぼ円筒状に形成されている。これら第２緩衝部材２６それぞれは、その表面側に位置する端面が上部ケース２に設けられた複数の連結ボス部２５の段差状の各受け部２５ａに弾接し、裏面側に位置する端面が下部ケース３のビス挿入部２７の下端部に設けられた当接部２７ｂに弾接し、かつ外周面が上部ケース２の内周面に弾接するように構成されている。
【００４３】
すなわち、これら複数の第２緩衝部材２６は、第１緩衝部材１３と同様、シリコーン樹脂、エラストマーなどの弾力性が高く、かつ硬度が８０〜９０程度の合成樹脂によって、ほぼ円筒形状に形成されている。これら複数の第２緩衝部材２６は、図５に示すように、上部ケース２の内周面に沿う形状に形成されている。この場合、複数の第２緩衝部材２６には、上部ケース２の内周面に沿う方向に突出する突出部２６ａが上部ケース２の内周面に弾接する状態で形成されている。
【００４４】
また、これら複数の第２緩衝部材２６は、図５および図８に示すように、上部ケース２と下部ケース３との間に配置されたインナーケース８をフローティング状態で保持するように構成されている。この場合、インナーケース８には、複数の第２緩衝部材２６がそれぞれ装着する第１〜第３の装着部３０〜３２が設けられている。
【００４５】
すなわち、第１の装着部３０は、図５および図６（ａ）に示すように、インナーケース８の上辺の両側部つまり第１フレーム１０の上辺の両側部に設けられている。第２の装着部３１は、インナーケース８の下辺の両側部つまり第２フレーム１１の下辺の両側部に各連結ボス部２５に向けて突出して設けられている。第３の装着部３２は、インナーケース８の長手方向における中間部の両側部つまり連結部１２の両側部と電池収納部１５の外周部とに位置する箇所に設けられている。
【００４６】
この場合、第１フレーム１０の上辺の両側部に設けられた第１の装着部３０は、図５に示すように、これに対応する第２緩衝部材２６が装着する円弧状の切欠き部に形成されている。第２フレーム１１の下辺の両側部に設けられた第２の装着部３１は、これに対応する第２緩衝部材２６に食い込む突起部に形成されている。連結部１２の両側部と電池収納部１５の外周部とに位置する箇所に設けられた第３の装着部３２は、これに対応する第２緩衝部材２６が装着する切欠き段差部に形成されている。
【００４７】
これにより、インナーケース８は、図５および図８に示すように、第１〜第３の装着部３０〜３２が複数の第２緩衝部材２６の各外周部に装着されることにより、これら複数の第２緩衝部材２６によって上部ケース２と下部ケース３とに対して非接触状態で配置されるように構成されている。このため、このインナーケース８は、機器ケース１内にフローティング状態で保持されるように構成されている。
【００４８】
この場合、インナーケース８は、図５および図８に示すように、第１〜第３の装着部３０〜３２が複数の第２緩衝部材２６に装着されて、機器ケース１内に保持された状態で、機器ケース１が落下などの衝撃を受け、その衝撃がインナーケース８に伝わった際に、インナーケース８の長手方向の衝撃と、その長手方向と直交する方向の衝撃と、表裏面方向である厚み方向の衝撃とが、複数の第２緩衝部材２６によって緩衝されるように構成されている。
【００４９】
次に、このような携帯端末機の作用について説明する。
この携帯端末機を組み立てる場合には、予め、インナーケース８を形成し、このインナーケース８に表示部４、入力部５、回路基板１４を搭載する。すなわち、インナーケース８を形成する際には、ＡＢＳ樹脂、またはＰＣ樹脂とＡＢＳ樹脂との複合材などの合成樹脂によって第１フレーム１０と第２フレーム１１と連結部１２とを一体に形成する。
【００５０】
このときには、連結部１２にシリコーン樹脂、エラストマーなどの弾力性を有する合成樹脂製の第１緩衝部材１３を２色成型によって一体に埋め込んで成型しても良いが、連結部１２にスリット状の嵌合部１２ａを形成し、この嵌合部１２ａに第１緩衝部材１３を嵌め込むことが望ましい。この場合には、第１緩衝部材１３が嵌合部１２ａをインナーケース８の長手方向に押し広げる状態で嵌合部１２ａに嵌め込まれる。
【００５１】
この状態で、第１フレーム１０の表面に表示部４を取り付けると共に、第１フレーム１０の裏面に回路基板１４を取り付ける。また、第２フレーム１１の表面に入力部５を取り付ける。そして、表示部４、回路基板１４、および入力部５が組み付けられたインナーケース８を機器ケース１の上部ケース２内に組み込む。
【００５２】
この場合には、予め、上部ケース２内に設けられた複数の連結ボス部２５における小径の先端部の各外周に複数の第２緩衝部材２６をそれぞれ配置する。このときには、複数の第２緩衝部材２６の表面側の各端面を上部ケース２に設けられた複数の連結ボス部２５の段差状の各受け部２５ａに弾接させると共に、複数の第２緩衝部材２６の各外周面を上部ケース２の内周面に弾接させる。
【００５３】
この状態で、上部ケース２内にインナーケース８を配置する。このときには、インナーケース８の第１〜第３の装着部３０〜３２を複数の第２緩衝部材２６の各外周部に装着させる。すなわち、第１フレーム１０の上辺の両側部に円弧状の切欠き部状に形成された第１の装着部３０を、これに対応する第２緩衝部材２６に装着させて、この第２緩衝部材２６の外周部に第１の装着部３０を弾接させて保持させる。
【００５４】
同様に、第２フレーム１１の下辺の両側部に突起部状に形成された第２の装着部３１を、これに対応する第２緩衝部材２６に食い込ませて、この第２緩衝部材２６の外周部に第２の装着部３１を弾力的に保持させる。また、連結部１２の両側部と電池収納部１５の両側部とに位置する箇所に切欠き段差部状に形成された第３の装着部３２を、これに対応する第２緩衝部材２６に装着させて、この第２緩衝部材２６の外周部に第３の装着部３２を弾接させて保持させる。
【００５５】
これにより、インナーケース８は、第１〜第３の装着部３０〜３２が複数の第２緩衝部材２６の各外周部に装着されることにより、これら複数の第２緩衝部材２６によって上部ケース２に対して非接触状態で配置される。このため、インナーケース８は、その長手方向から加わる衝撃、その長手方向と直交する方向から加わる衝撃、および表裏面方向である厚み方向から加わる衝撃を、複数の第２緩衝部材２６によって緩衝する状態で、上部ケース２内にフローティング状態で保持される。
【００５６】
この状態では、表示部４が上部ケース２の表示開口部２ａに対応して配置され、入力部５の各キー５ａが上部ケース２のキー挿入孔２ｂに挿入して外部に露出する。また、このときには、センタートリガーキー１７ａが上部ケース２のキー挿入孔２ｂに挿入して外部に露出し、サイドトリガーキー１７ｂが機器ケース１の両側部に位置する上部ケース２の両側部のキー挿入孔２ｃに挿入して外部に露出する。
【００５７】
そして、上部ケース２に下部ケース３を取り付ける。このときには、上部ケース２の裏面側の周縁部に設けられた係止溝２３に、下部ケース３の表面側の周縁部に設けられた係合突起２４を対応させると共に、上部ケース２に設けられた複数の連結ボス部２５に、下部ケース３に設けられた複数のビス挿入部２７を対応させ、この状態で上部ケース２と下部ケース３とを重ね合わせる。
【００５８】
すると、上部ケース２の係止溝２３に下部ケース３の係合突起２４が嵌め込まれて、上部ケース２と下部ケース３とが結合される。この状態で、下部ケース３の複数のビス挿入部２７の各筒部２７ａ内にその外部から複数のビス２８をそれぞれ挿入させ、この挿入した複数のビス２８の各ねじ部２８ｂを複数のビス挿入部２７の各当接部２７ｂの挿入孔に挿入させ、この挿入した複数のビス２８の各ねじ部２８ｂを複数の連結ボス部２５に螺合させて締め付ける。
【００５９】
これにより、複数のビス２８の各頭部２８ａによって下部ケース３の複数のビス挿入部２７の各当接部２７ｂが複数の第２緩衝部材２６の裏面側の各端面に押し付けられて弾接する。これに伴って、複数の第２緩衝部材２６の表面側の各端面が上部ケース２に設けられた複数の連結ボス部２５の段差状の各受け部２５ａに押し付けられて弾接する。このため、上部ケース２と下部ケース３とが複数の第２緩衝部材２６を介して相互に固定される。この結果、機器ケース１が組み立てられる。
【００６０】
この状態で、機器ケース１の本体部１ａの裏面、つまり機器ケース１の本体部１ａに対応する下部ケース３の裏面に読取装置６のユニットケース１８を複数のビス１８ａによって取り付ける。この場合には、予め、ユニットケース１８の読取窓部１９ａに読取部２０を対応させ、ユニットケース１８の撮影窓部１９ｂに撮影部２１を対応させ、この状態でユニットケース１８内に読取部２０と撮影部２１とを組み付ける。
【００６１】
また、機器ケース１の握り部１ｂに対応するインナーケース８の第２フレーム１１に設けられた電池収納部１５内に電池２２を収納し、機器ケース１の握り部１ｂ内に設けられた電池収納部１５を電池蓋７で覆う。この状態で、機器ケース１の握り部１ｂに対応する下部ケース３の裏面に電池蓋７をビス７ａによって取り付ける。これにより、携帯端末機が組み立てられる。
【００６２】
次に、この携帯端末機を使用する場合について説明する。
この場合には、まず、機器ケース１の上部ケース２を上に向けて、機器ケース１の握り部１ｂをオペレータが手で握る。この状態では、上部ケース２の表示部４と入力部５とが上を向くので、入力部５の各種のキー５ａを操作して商品やその在庫などの情報を入力することができ、その入力された情報が表示部４に表示される。
【００６３】
また、読取装置６で商品に張られたラベルなどの被読取物のコード情報およびその画像を取り込む場合には、ユニットケース１０に設けられた読取窓部１９ａと撮影窓部１９ｂとを被読取物に向けて、入力部５の上辺部に設けられたセンタートリガーキー５ｂと機器ケース１の両側部に設けられたサイドトリガーキー５ｃとのいずれかを操作する。すると、読取装置６の読取部２０が被読取物のコード情報を読み取ると共に、これと同時に撮影部２１が被読取物を画像として撮影する。
【００６４】
このようにして、読取装置６が取り込んだ被読取物のコード情報とその画像とは、表示部４に表示される。このため、表示部４に表示された被読取物のコード情報とその画像とをオペレータが見ながら、入力部５の決定キー５ａを操作することにより、表示部４に表示された被読取物のコード情報とその画像とが記憶される。
【００６５】
ところで、この携帯端末機の機器ケース１が落下などの衝撃を受けた際には、機器ケース１の上部ケース２と下部ケース３とが複数の第２緩衝部材２６を介して相互に固定されていることにより、これら複数の第２緩衝部材２６によって機器ケース１の受けた衝撃が緩衝される。
【００６６】
すなわち、複数の第２緩衝部材２６は、上部ケース２内の四隅と上部ケース２の長手方向における中間部の両側部とに設けられた複数の連結ボス部２５の外周に設けられ、複数の第２緩衝部材２６の表面側の各端面が上部ケース２に設けられた複数の連結ボス部２５の段差状の各受け部２５ａに弾接し、複数の第２緩衝部材２６の裏面側の各端面が下部ケース３の複数のビス挿入部２７の各当接部２７ｂに弾接していることにより、機器ケース１がその厚み方向の衝撃を受けた際に、その厚み方向の衝撃を複数の第２緩衝部材２６によって確実にかつ良好に緩衝することができる。
【００６７】
また、複数の第２緩衝部材２６は、複数の連結ボス部２５の外周に設けられた状態で、複数の第２緩衝部材２６の各外周部が上部ケース２の内周面に弾接しているので、機器ケース１がその長手方向または長手方向と直交する方向の衝撃を受けた際に、その衝撃を複数の第２緩衝部材２６によって確実にかつ良好に緩衝することができ、これにより機器ケース１内のインナーケース８に衝撃が伝わらないようにすることができる。
【００６８】
すなわち、複数の第２緩衝部材２６は、シリコーン樹脂、エラストマーなどの弾力性が高く、かつ硬度が８０〜９０程度の合成樹脂によって、上部ケース２の内周面に沿うほぼ円筒形状に形成されているので、外周部が上部ケース２の内周面に確実にかつ良好に弾接させることができる。
【００６９】
この場合、複数の第２緩衝部材２６には、上部ケース２の内周面に沿う方向に突出する突出部２６ａが上部ケース２の内周面に弾接する状態で形成されていることにより、機器ケース１が外部から衝撃を受けた際に、その衝撃を複数の第２緩衝部材２６の各突出部２６ａによって、より一層、確実にかつ良好に緩衝することができる。
【００７０】
また、機器ケース１内に配置されたインナーケース８は、複数の第２緩衝部材２６によって機器ケース１内にフローティング状態で保持されているため、機器ケース１が外部から衝撃を受けても、その衝撃が複数の第２緩衝部材２６によって緩衝され、機器ケース１が受けた衝撃がインナーケース８に伝わらないようにすることができる。これにより、インナーケース８に搭載された表示部４、入力部５、回路基板１４などの部品が衝撃の影響を受けないように、これらの部品を確実にかつ良好に保護することができる。
【００７１】
すなわち、インナーケース８は、第１〜第３の装着部３０〜３２を備え、これら第１〜第３の装着部３０〜３２が複数の第２緩衝部材２６の各外周部に装着されていることにより、これら複数の第２緩衝部材２６によってインナーケース８を上部ケース２と下部ケース３とに対して非接触状態で配置することができる。これにより、インナーケース８を機器ケース１内にフローティング状態で良好に保持することができるので、機器ケース１が外部から衝撃を受けても、その衝撃がインナーケース８に伝わらないようにすることができる。
【００７２】
この場合、インナーケース８は、第１フレーム１０の上辺の両側部に円弧状の切欠き部状に形成された第１の装着部３０が、これに対応する第２緩衝部材２６の外周部に装着され、第２フレーム１１の下辺の両側部に突起部状に形成された第２の装着部３１が、これに対応する第２緩衝部材２６の外周部に食い込んで装着され、連結部１２の両側部と電池収納部１５の外周部とに位置する切欠き段差部状に形成された第３の装着部３２が、これに対応する第２緩衝部材２６の外周部に装着されているので、インナーケース８を機器ケース１内にフローティング状態で確実にかつ良好に保持させることができる。
【００７３】
すなわち、インナーケース８は、第１〜第３の装着部３０〜３２が複数の第２緩衝部材２６に装着された状態で、機器ケース１内に保持された際に、インナーケース８の長手方向から加わる衝撃、その長手方向と直交する方向から加わる衝撃、およびインナーケース８の表裏面方向である厚み方向から加わる衝撃を、複数の第２緩衝部材２６によって確実にかつ良好に緩衝することができる。このため、機器ケース１が外部から衝撃を受けても、その衝撃がインナーケース８に伝わることがない。
【００７４】
ところで、機器ケース１が外部から衝撃を受け、その衝撃を複数の第２緩衝部材２６で緩衝しきれないときには、その衝撃が機器ケース１内のインナーケース８に伝わるが、このインナーケース８に伝わった衝撃が第１緩衝部材１３によって緩衝されるので、インナーケース８が衝撃によって破損しないようにすることができる。
【００７５】
この場合、第１緩衝部材１３は、第１フレーム１０と第２フレーム１１とを連結するインナーケース８の連結部１２に設けられたスリット状の嵌合部１２ａ内に嵌め込まれた状態で、嵌合部１２ａを弾力的に押し広げるように嵌め込まれていることにより、インナーケース８が受けた衝撃を第１緩衝部材１３によって確実にかつ良好に緩衝することができる。
【００７６】
すなわち、このインナーケース８は、機器ケース１が外部から衝撃を受け、その衝撃がインナーケース８に伝わって連結部１２に集中しても、この連結部１２に集中した衝撃を第１緩衝部材１３によって確実にかつ良好に緩衝することができるので、衝撃による連結部１２の劣化を抑えて連結部１２の破損を防ぐことができ、これにより連結部１２を良好に保護することができる。
【００７７】
この場合、機器ケース１の握り部１ｂ内には、重量の重い電池２２が収納されているため、機器ケース１が外部から衝撃を受けると、電池２２がその重量によって慣性力を発生し、この電池２２の慣性力による衝撃がインナーケース８に加わるが、電池２２の慣性力による衝撃を第１緩衝部材１３によって確実にかつ良好に緩衝することができる。このため、電池２２の慣性力の衝撃による連結部１２の劣化を抑えて、連結部１２の破損を防ぐことができる。
【００７８】
このように、この携帯端末機によれば、機器ケース１内に配置されるインナーケース８が、機器ケース１内に配置される第１フレーム１０と、機器ケース１内に第１フレーム１０と並列に配置される第２フレーム１１と、第１フレーム１０と第２フレーム１１とを連結する連結部１２と、この連結部１２に設けられた第１緩衝部材１３と、を備えていることにより、機器ケース１が外部から衝撃を受け、その衝撃がインナーケース８に伝わっても、その衝撃を第１緩衝部材１３によって緩衝することができ、これにより耐衝撃性の高いものを提供することができる。
【００７９】
すなわち、インナーケース８は、第１フレーム１０と第２フレーム１１とがそれぞれ矩形状をなし、連結部１２と共に合成樹脂によって一体に形成され、この連結部１２に第１緩衝部材１３が埋め込まれていることにより、インナーケース８がその長手方向の衝撃を受けた際に、その衝撃が連結部１２に集中しても、連結部１２に埋め込まれた第１緩衝部材１３によって連結部１２に集中する衝撃を確実にかつ良好に緩衝することができる。
【００８０】
この場合、第２フレーム１１は、第１フレーム１０が連結される連結方向に対して直交する方向の長さが、第１フレーム１０における連結方向である長手方向に対して直交する方向の長さよりも短く形成されていることにより、インナーケース８を機器ケース１内に配置する場合、第１フレーム１０が配置される機器ケース１の本体部１ａにおける長手方向に対して直交する方向の長さを、第２フレーム１１が配置される機器ケース１の握り部１ｂにおける長手方向に対して直交する方向の長さより短く形成することができる。
【００８１】
このため、このインナーケース８では、機器ケース１の握り部１ｂを機器ケース１の本体部１ａよりも小さく形成して、機器ケース１の握り部１ｂを握り易い形状に形成することができ、また機器ケース１の本体部１ａを機器ケース１の握り部１ｂよりも大きく形成して、機器ケース１の本体部１ａ内に配置される表示部４を大きく形成することができ、これにより表示部４の大画面化を図ることができる。
【００８２】
この場合、連結部１２は、第１フレーム１０と第２フレーム１１との連結方向である長手方向に対して直交する方向の長さが、第２フレーム１１における連結方向である長手方向に対して直交する方向の長さとほぼ同じ長さに形成されていることにより、インナーケース８がその長手方向の衝撃を受けた際に、その衝撃を連結部１２に集中させることができ、これにより連結部１２に集中した衝撃を第１緩衝部材１３で良好に緩衝することができる。
【００８３】
すなわち、第１緩衝部材１３は、連結部１２における連結方向である長手方向と直交する方向の長さよりも少し短い長さで、連結部１２に埋め込まれていることにより、インナーケース８がその長手方向の衝撃を受け、その衝撃が連結部１２に集中した際に、連結部１２に集中した衝撃を第１緩衝部材１３の全体で受け止めることができる。
【００８４】
このため、このインナーケース８では、連結部１２に集中した衝撃を第１緩衝部材１３によって確実にかつ良好に緩衝することができるので、衝撃による連結部１２の劣化を良好に抑えて連結部１２の破損を防ぐことができ、これにより連結部１２を確実にかつ良好に保護することができると共に、耐衝撃性の高いインナーケース８を得ることができる。
【００８５】
この場合、連結部１２には、第１緩衝部材１３が嵌着するスリット状の嵌合部１２ａが第２フレーム１１の長手方向に対して直交する方向の長さよりも少し短い長さで形成され、このスリット状の嵌合部１２ａ内に第１緩衝部材１３が、嵌合部１２ａを弾力的に押し広げるように嵌め込まれていることにより、連結部１２に集中した衝撃を第１緩衝部材１３の全体で受け止めて確実にかつ良好に緩衝することができる。
【００８６】
また、このインナーケース８では、第２フレーム１１に搭載された部品の重量が第１フレーム１０に搭載された部品の重量よりも重いことにより、インナーケース８が衝撃を受けた際に、第２フレーム１１に搭載された部品がその重量によって慣性力を発生し、この第２フレーム１１に搭載された部品の慣性力による衝撃がインナーケース８に加わっても、その慣性力による衝撃を第１緩衝部材１３によって確実にかつ良好に緩衝することができる。
【００８７】
この場合、第２フレーム１１にはバッテリである重量の重い電池２２が搭載され、第１フレーム１０には表示部４および回路基板１４などの表示モジュールである重量の軽い部品が搭載されていることにより、機器ケース１が衝撃を受けると、電池２２がその重量によって慣性力を発生し、この電池２２の慣性力による衝撃がインナーケース８に加わっても、電池２２の慣性力による衝撃を第１緩衝部材１３によって確実にかつ良好に緩衝することができる。
【００８８】
なお、上述した実施形態では、インナーケース８の連結部１２が、第２フレーム１１の長手方向と直交する方向の長さとほぼ同じ長さで形成されている場合について述べたが、この発明は、これに限らず、例えば図９および図１０に示す変形例のように、連結部３５を形成しても良い。
【００８９】
すなわち、この変形例の連結部３５は、図９（ａ）および図１０（ａ）に示すように、第１フレーム１０と第２フレーム１１との長手方向に対して直交する方向の長さが、第１フレーム１０における長手方向と直交する方向の両側端部から、これに対応する第２フレーム１１における長手方向と直交する方向の両側端部に向けて、次第に短くなるように形成されている。
【００９０】
つまり、この変形例の連結部３５は、その両側部が第１フレーム１０の両側端部から第２フレーム１１の両側端部に向けて次第に狭くなる湾曲部または傾斜部に形成されている。この場合、連結部３５には、第１緩衝部材１３が嵌着するスリット状の嵌合部３５ａが第２フレーム１１の長手方向に対して直交する方向の長さと同じか、それよりも少し長い長さで、表裏面に貫通して形成されている。
【００９１】
このため、第１緩衝部材１３は、第２フレーム１１における長手方向と直交する方向の長さと同じか、それよりも少し長く形成され、連結部３５に設けられたスリット状の嵌合部３５ａ内に表裏に貫通して嵌め込まれるように構成されている。すなわち、この第１緩衝部材１３は、連結部３５のスリット状の嵌合部３５ａ内に嵌め込まれた状態で、嵌合部３５ａを弾力的に押し広げるように嵌め込まれている。
【００９２】
このようなインナーケース８では、上述した実施形態と同様、機器ケース１が外部から衝撃を受け、その衝撃がインナーケース８に伝わった際に、連結部３５に集中する衝撃を第１緩衝部材１３で緩衝して連結部３５を保護することができるほか、連結部３５の両側部が第１フレーム１０の両側端部から第２フレーム１１の両側端部に向けて次第に狭くなる湾曲部または傾斜部に形成されているので、上述した実施形態よりも連結部３５の強度を高めることができ、これにより連結部３５に集中する衝撃による連結部３５の劣化を防いで、連結部３５の破損を防ぐことができる。
【００９３】
また、上述した実施形態では、連結ボス部２５と第２緩衝部材２６とを上部ケース２内に設けた場合について述べたが、この発明はこれに限らず、例えば、連結ボス部２５と第２緩衝部材２６とを下部ケース３内に設け、ビス挿入孔部２７を上部ケース２内に設けた構成であっても良い。
【００９４】
さらに、上述した実施形態およびその変形例では、携帯端末機に適用した場合について述べたが、この発明は必ずしも携帯端末機である必要はなく、例えば携帯電話機、携帯情報処理装置などの携帯機器に適用することができる。
【００９５】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００９６】
（付記）
請求項１に記載の発明は、機器ケースと、前記機器ケース内に配置されるインナーケースと、を備え、前記インナーケースは、前記機器ケース内に配置される第１フレームと、前記機器ケース内に前記第１フレームと並列に配置される第２フレームと、前記第１フレームと前記第２フレームとを連結する連結部と、前記連結部に設けられ、前記第１フレームと前記第２フレームとが受けた衝撃を緩衝する緩衝部材と、を備えていることを特徴とする携帯機器である。
【００９７】
請求項２に記載の発明は、請求項１に記載の携帯機器において、前記第１フレームと前記第２フレームとは、それぞれ矩形状をなし、前記連結部と共に合成樹脂によって一体に形成され、前記連結部に前記緩衝部材が埋め込まれていることを特徴とする携帯機器である。
【００９８】
請求項３に記載の発明は、請求項１または請求項２に記載の携帯機器において、前記第２フレームは、前記第１フレームが連結される連結方向に対して直交する方向の長さが、前記第１フレームにおける前記連結方向と直交する方向の長さよりも短く形成されていることを特徴とする携帯機器である。
【００９９】
請求項４に記載の発明は、請求項３に記載の携帯機器において、前記連結部は、前記第１フレームと前記第２フレームとの前記連結方向に対して直交する方向の長さが、前記第２フレームにおける前記連結方向と直交する方向の長さとほぼ同じ長さに形成されていることを特徴とする携帯機器である。
【０１００】
請求項５に記載の発明は、請求項３に記載の携帯機器において、前記連結部は、前記第１フレームと前記第２フレームとの前記連結方向に対して直交する方向の長さが、前記第１フレームにおける前記連結方向と直交する方向の両側の端部側から、これに対応する前記第２フレームにおける前記連結方向と直交する方向の両側の端部に向けて、次第に短くなるように形成されていることを特徴とする携帯機器である。
【０１０１】
請求項６に記載の発明は、請求項４または請求項５に記載の携帯機器において、前記緩衝部材は、前記連結部における前記連結方向と直交する方向の長さよりも少し短い長さで、前記連結部に埋め込まれていることを特徴とする携帯機器である。
【０１０２】
請求項７に記載の発明は、請求項１〜請求項６のいずれかに記載の携帯機器において、前記第２フレームは、前記第１フレームに搭載される部品の重量よりも重い重量の部品が搭載されていることを特徴とする携帯機器である。
【０１０３】
請求項８に記載の発明は、請求項１〜請求項７のいずれかに記載の携帯機器において、前記第２フレームはバッテリが搭載され、前記第１フレームは表示モジュールが搭載されていることを特徴とする携帯機器である。
【符号の説明】
【０１０４】
１  機器ケース
２  上部ケース
３  下部ケース
４  表示部
５  入力部
６  読取装置
７  電池蓋
８  インナーケース
１０  第１フレーム
１１  第２フレーム
１２、３５  連結部
１２ａ、３５ａ  嵌合部
１３  第１緩衝部材
１４  回路基板
１５  電池収納部
２２  電池
２５  連結ボス部
２５ａ  受け部
２６  第２緩衝部材
２６ａ  突起部
２７  ビス挿入部
２８  ビス
３０〜３２  第１〜第３の装着部
【図１】
2018046329.tif 000003
【図２】
2018046329.tif 000004
【図３】
2018046329.tif 000005
【図４】
2018046329.tif 000006
【図５】
2018046329.tif 000007
【図６】
2018046329.tif 000008
【図７】
2018046329.tif 000009
【図８】
2018046329.tif 000010
【図９】
2018046329.tif 000011
【図１０】
2018046329.tif 000012